(57)【要約】【課題】複合機のコストを高くすることなく、ユーザのデータの機密性を保持しながらデータに応じた処理を実行可能なシステムを提供することを課題とする。【解決手段】ユーザＡ（Ｕｓｅｒ１）は、ＰＣ４において印刷処理を実行する（Ｓ１）。印刷データは、ファイルサーバ３のＵｓｅｒ１フォルダ配下のＰｒｉｎｔフォルダに格納される（Ｓ２）。このＰｒｉｎｔフォルダはパスワードでロックされている。ユーザＡがデジタル複合機２へ移動し（Ｓ３）、パスワードを入力して印刷指示を行うと（Ｓ４）、パスワードがファイルサーバ３に送信され、ファイルサーバ３で認証が行われる。認証に成功すると、Ｕｓｅｒ１の印刷データリストが複合機２に送信される（Ｓ５）。ユーザＡが印刷データを選択すると、印刷データがファイルサーバ３からデジタル複合機２へ送信され（Ｓ６）、デジタル複合機２において印刷処理が実行される（Ｓ７）。【選択図】図１
2007306398.tif 000002
【特許請求の範囲】
【請求項１】
複数の処理機能を有する複合機と、
前記複合機とネットワークを介して接続されるデータサーバと、
を備え、
前記データサーバは、
前記複合機の複数の処理機能に対応したユーザ単位のフォルダが格納される記憶手段と、
前記記憶手段に対するユーザごとのアクセス権限を管理する認証手段と、
を備え、
前記複合機は、
各処理機能を実行するとき、ユーザに認証情報の入力を求める認証入力手段と、
前記認証入力手段より入力した情報に基づいて前記認証手段による認証を得ることにより前記記憶手段のユーザフォルダにアクセスして各処理機能を実行する手段と、
を備えることを特徴とするデータ処理システム。
【請求項２】
請求項１に記載のデータ処理システムにおいて、
前記複合機の複数の処理機能には印刷機能が含まれており、ユーザが、前記ネットワークに接続された端末を利用して、前記記憶手段に作成されている当該ユーザに対応する印刷用フォルダに印刷データの書き込み処理を行い、
前記複合機は、前記認証入力手段より入力した情報に基づいて前記認証手段による認証を得ると、前記記憶手段に格納されている印刷データを取得して、印刷処理を実行することを特徴とするデータ処理システム。
【請求項３】
請求項２に記載のデータ処理システムにおいて、
前記端末に印刷ドライバソフトウェアがインストールされるとき、インストールを実行しているユーザに対応したユーザフォルダが前記記憶手段に作成されることを特徴とするデータ処理システム。
【請求項４】
請求項３に記載のデータ処理システムにおいて、
前記端末に印刷ドライバソフトウェアがインストールされるとき、ユーザにより認証情報の入力が行われ、前記認証手段に当該認証情報が登録されることを特徴とするデータ処理システム。
【発明の詳細な説明】
【技術分野】
【０００１】
本発明は、ユーザごとのデータの機密性を保持しつつ、データ処理を実行するシステムに関する。
【背景技術】
【０００２】
１台でプリンタ機能、コピー機能、スキャナ機能、ＦＡＸ機能、通信機能など多機能を実行可能な複合機が存在する。複合機は、ＬＡＮに接続された端末からの指示を受けてそれら機能を実行することが可能である。
【０００３】
たとえば、ＬＡＮに接続された端末から印刷指示が行われると、ＬＡＮを経由して複合機に対して印刷データが転送される。複合機は受信した印刷データを印刷出力するのである。
【０００４】
このように、複合機はネットワークで接続された端末からの指示を受けて各種の機能を実行することができるので、多数のユーザが１台の複合機を共用することが可能である。
【０００５】
【特許文献１】特開２００４−３０４３２０号公報
【発明の開示】
【発明が解決しようとする課題】
【０００６】
上記のように、多数のユーザが複合機を共有することにより、コスト削減を図ることが可能である。しかし、多数のユーザが複合機を共有することにより、データの機密性を確保することが難しくなる。例え会社内であっても、人事データや経営データなど他の社員の目に触れることを避けたいデータが存在する。
【０００７】
たとえば、ある社員が自分の端末から機密文書の印刷処理を実行したとする。この場合、複合機がその社員の席から離れた場所にあると、その社員が印刷物を手にする前に機密文書が他の社員の目に触れる可能性がある。そこで、従来、印刷データを一旦記憶装置に格納しておき、パスワードの入力が行われた場合のみ、印刷処理を実行するプリンタが利用されている。
【０００８】
上記特許文献１は、デジタル複合機に関するものである。このデジタル複合機は、本体内のメモリに複数種類の処理に対応したフォルダが準備されており、パーソナルコンピュータからそのメモリに画像データが書き込まれると、フォルダの種類に対応した処理を実行するようにしている。
【０００９】
特許文献１では、デジタル複合機の記憶領域は、処理に対応してフォルダ管理されている。したがって、各ユーザが例えば印刷データの書き込み処理を行うと、それら印刷データは、同じ印刷用フォルダに書き込まれ、そのまま印刷される。したがって、印刷文書の機密性を保持することはできない。上記のように、デジタル複合機において認証を行う方法も考えられるが、複数のユーザのデータが同じ記憶領域に書き込まれる場合、アクセス制御が煩雑となる。また、デジタル複合機の記憶領域にフォルダごとのアクセス管理機能を持たせる必要があり、コスト高となる。
【００１０】
そこで、本発明は前記問題点に鑑み、複合機のコストを高くすることなく、ユーザのデータの機密性を保持しながらデータに応じた処理を実行可能なシステムを提供することを目的とする。
【課題を解決するための手段】
【００１１】
上記課題を解決するため、請求項１記載の発明は、複数の処理機能を有する複合機と、前記複合機とネットワークを介して接続されるデータサーバと、を備え、前記データサーバは、前記複合機の複数の処理機能に対応したユーザ単位のフォルダが格納される記憶手段と、前記記憶手段に対するユーザごとのアクセス権限を管理する認証手段と、を備え、前記複合機は、各処理機能を実行するとき、ユーザに認証情報の入力を求める認証入力手段と、前記認証入力手段より入力した情報に基づいて前記認証手段による認証を得ることにより前記記憶手段のユーザフォルダにアクセスして各処理機能を実行する手段と、を備えることを特徴とする。
【００１２】
請求項２記載の発明は、請求項１に記載のデータ処理システムにおいて、前記複合機の複数の処理機能には印刷機能が含まれており、ユーザが、前記ネットワークに接続された端末を利用して、前記記憶手段に作成されている当該ユーザに対応する印刷用フォルダに印刷データの書き込み処理を行い、前記複合機は、前記認証入力手段より入力した情報に基づいて前記認証手段による認証を得ると、前記記憶手段に格納されている印刷データを取得して、印刷処理を実行することを特徴とする。
【００１３】
請求項３記載の発明は、請求項２に記載のデータ処理システムにおいて、前記端末に印刷ドライバソフトウェアがインストールされるとき、インストールを実行しているユーザに対応したユーザフォルダが前記記憶手段に作成されることを特徴とする。
【００１４】
請求項４記載の発明は、請求項３に記載のデータ処理システムにおいて、前記端末に印刷ドライバソフトウェアがインストールされるとき、ユーザにより認証情報の入力が行われ、前記認証手段に当該認証情報が登録されることを特徴とする。
【発明の効果】
【００１５】
本発明のデータ処理システムは、複合機とデータサーバとで構成され、データサーバには、複合機の複数の処理機能に対応したユーザ単位のフォルダが作成される。ユーザフォルダはアクセス権限が管理されており、複合機は、データサーバの認証を得て、ユーザフォルダにアクセスして各処理機能を実行する。データサーバのアクセス制御機能や記憶装置を利用するので、複合機のコストを高くすることなく、ユーザごと、処理機能ごとのデータに機密性を保持することが可能である。
【００１６】
また、ユーザが、データサーバの印刷用フォルダに印刷データの書き込み処理を行うと、複合機は、データサーバの認証を得て、印刷用フォルダに格納されている印刷データを取得して、印刷処理を実行する。これにより、ユーザごとの印刷データの機密性を保持することが可能である。
【発明を実施するための最良の形態】
【００１７】
以下、図面を参照しつつ本発明の実施の形態について説明する。図１は、本実施の形態に係るデータ処理システムの全体構成と処理の流れを示す図である。このシステムは、ＬＡＮ１と、ＬＡＮ１に接続されたデジタル複合機２、ファイルサーバ３、複数のパーソナルコンピュータ（以下、ＰＣ）４，４・・・などから構成される。
【００１８】
デジタル複合機２は、１台でプリント機能、コピー機能、スキャナ機能、ＦＡＸ機能、通信機能を備えた多機能装置である。ＬＡＮ１に接続されたＰＣ４は、ネットワーク経由でデジタル複合機２の各種の機能を利用可能である。また、ユーザは、直接デジタル複合機２を操作して、コピー処理、スキャニング処理などを実行することができる。
【００１９】
ファイルサーバ３は、ＬＡＮ１に接続されたＰＣ４，４・・・のほか、各コンピュータに対してデータ共有サービスを提供するサーバである。ＬＡＮ１に接続されたコンピュータは、ファイルサーバ３にデータをアップロードして利用することや、ファイルサーバ３が蓄積しているデータをダウンロードして利用することが可能である。
【００２０】
図２は、各装置の機能ブロックを示す図である。デジタル複合機２は、ＣＰＵ２１、ＲＡＭ２２、操作パネル２３、プリンタ部２４、コピー部２５、スキャナ部２６、ＦＡＸ部２７、メール部２８、通信部２９、メモリ２０を備えている。
【００２１】
操作パネル２３は、タッチパネル式ディスプレイであり、デジタル複合機２の操作メニューや状態情報を表示するとともに、ユーザの操作指示を入力するインタフェースである。通信部２９は、ＴＣＰ／ＩＰなどのプロトコルを利用してＬＡＮ１に接続されたコンピュータとの間でデータの送受信を行う。
【００２２】
メモリ２０には、ユーザ登録データ５１が格納されている。ユーザ登録データ５１には、このデジタル複合機２を利用するユーザのユーザ名とパスワードが登録されている。
【００２３】
ファイルサーバ３は、ＣＰＵ３１、ＲＡＭ３２、認証管理部３３、通信部３４、ハードディスク３５を備えている。
【００２４】
認証管理部３３は、認証管理プログラムがＣＰＵ３１，ＲＡＭ３２などのハードウェアを利用して実行することにより実現される機能部である。通信部３４は、ＴＣＰ／ＩＰなどのプロトコルを利用してＬＡＮ１に接続されたコンピュータとの間でデータの送受信を行う。また、通信部３４は、ＳＭＢプロトコルを利用して、ＬＡＮ１に接続されたコンピュータにハードディスク３５内の記憶領域を共有フォルダとして利用可能に提供している。
【００２５】
ハードディスク３５には、図に示すように、デジタル複合機処理用のユーザフォルダ６１が作成されている。ユーザフォルダ６１は、ユーザ名に対応したユーザトップフォルダと、各ユーザトップフォルダの配下の機能別のフォルダで構成されている。図では、Ｕｓｅｒ１，Ｕｓｅｒ２，Ｕｓｅｒ３の３つのユーザトップフォルダを図示している。さらに、各ユーザトップフォルダの下に、ＦＡＸ，Ｓｃａｎ，Ｉ−ＦＡＸ，Ｐｒｉｎｔ，Ｅ−ｍａｉｌ用の機能別フォルダが作成されている。
【００２６】
これら、ハードディスク３５内に作成されているフォルダは、ＳＭＢプロトコルを利用して各コンピュータはブラウジング可能となっている。しかし、これら各ユーザに対応したフォルダは、アクセス権が設定されている。たとえば、Ｕｓｅｒ１フォルダの配下のフォルダはＵｓｅｒ１のみアクセス可能に制限が加えられている。同様に、Ｕｓｅｒ２，Ｕｓｅｒ３フォルダの配下のフォルダは、Ｕｓｅｒ２，Ｕｓｅｒ３のみアクセス可能となるように制限が加えられている。
【００２７】
このようなアクセス権を管理しているのが認証管理部３３である。認証管理部３３は、認証データ６２を管理している。認証データ６２には、各ユーザフォルダ６１にアクセス権の付与されたユーザの認証情報が登録されている。たとえば、Ｕｓｅｒ１フォルダとその配下のフォルダに対しては、ユーザ名「Ｕｓｅｒ１」と、Ｕｓｅｒ１のパスワードが登録されている。このように、各ユーザフォルダ６１のアクセス権が認証管理部３３により管理されている。
【００２８】
ＰＣ４は、ＣＰＵ４１，ＲＡＭ４２，操作部４３，モニタ４４，通信部４５，ハードディスク４６を備えている。操作部４３は、マウスやキーボードで構成される。モニタ４４は、たとえば液晶表示ディスプレイが利用される。通信部４５は、ＴＣＰ／ＩＰなどのプロトコルを利用してＬＡＮ１に接続されたコンピュータとの間でデータの送受信を行う。また、通信部４５はＳＭＢプロトコルを利用してファイルサーバ３の各ユーザフォルダ６１をブラウジング可能としている。
【００２９】
ハードディスク４６には、ワープロソフト７１，プリンタドライバ７２がインストールされている。ＰＣ４のユーザは、ワープロソフト７１を利用して文書ファイルを作成した後、プリンタドライバ７２を呼び出して印刷処理を実行するのである。
【００３０】
以上の通り構成されるデータ処理システムの処理の流れについて説明する。ここでは、図１に示すように、ＰＣ４のユーザＡが、印刷処理を実行する場合を例に説明する。まず、ユーザＡは、ＰＣ４においてワープロソフト７１を利用して文書ファイルを作成する。次に、プリンタドライバ７２を起動して作成した文書ファイルの印刷処理を実行する（図１のステップＳ１）。プリンタドライバ７２は、ワープロソフト７１のメニューから呼び出される。
【００３１】
ここで、プリンタドライバ７２には、ユーザＡのユーザ名（ここではＵｓｅｒ１であるとする。）とパスワード、さらに印刷用フォルダ名が登録されている。印刷用フォルダとは、ファイルサーバ３のハードディスク３５内に作成されているフォルダであって、ユーザＡの印刷データが格納される専用のフォルダ（Ｐｒｉｎｔフォルダ）である。これら、ユーザの認証情報とフォルダ情報はプリンタドライバ７２のインストール時に設定されている。プリンタドライバ７２のインストール方法については後で説明する。
【００３２】
ユーザＡにより印刷処理の指示が行われると、プリンタドライバ７２は、文書ファイルから印刷データを生成し、印刷データをファイルサーバ３５に送信する。プリンタドライバ７２は、デジタル複合機２に対応したドライバであるので、文書ファイルはデジタル複合機２で印刷可能なデータとしてファイルサーバ３に送信される。そして、プリンタドライバ７２で指定されたフォルダに印刷データが格納される（ステップＳ２）。ここでは、ユーザＡ（Ｕｓｅｒ１）が印刷処理を実行しているので、印刷データが、Ｕｓｅｒ１フォルダの下のＰｒｉｎｔフォルダに格納される。
【００３３】
このようにして、ユーザＡの印刷データがファイルサーバ３に格納されるが、Ｕｓｅｒ１フォルダは、Ｕｓｅｒ１のみアクセス可能となるよう認証管理部３３により管理されている。したがって、ＬＡＮ１に接続している他のコンピュータは、Ｕｓｅｒ１フォルダをブラウジングすることができても、その配下のフォルダやデータにアクセスすることはできない。これにより、ユーザＡの印刷データの機密性が保持される。
【００３４】
次に、ユーザＡは、デジタル複合機２の設置場所へ移動する（ステップＳ３）。そして、ユーザＡは、デジタル複合機２の操作パネル２３に触れる。操作パネル２３は、パネルへの接触操作に応答して、図３に示すようなログイン画面８１を操作パネル２３に表示する。
【００３５】
ここで、ユーザＡは、ユーザ名（Ｕｓｅｒ１）とパスワードを入力する。ユーザ名とパスワードの入力は、操作パネル２３とは別に設けられた操作ボタンなどを操作して行われる。デジタル複合機２を利用するための認証情報とファイルサーバ３のユーザフォルダ６１を利用するための認証情報は同じ情報を利用することとしている。つまり、ユーザ登録データ５１と認証データ６２は、同じユーザについては同じ認証情報（ユーザ名およびパスワード）が登録されている。
【００３６】
ユーザＡがログイン画面８１にユーザ名とパスワードを入力して、ＯＫボタンを選択すると、ＣＰＵ２１は、ユーザ登録データ５１を参照して認証処理を行う。そして、認証に成功すると、図４に示すように、操作パネル２３に処理選択画面８２が表示される。さらに、ユーザＡが、処理選択画面８２において「印刷」ボタンを選択し、印刷処理の指示を行う（ステップＳ４）。これにより、図５に示すように、操作パネル２３に印刷データ選択画面８３が表示される。
【００３７】
この印刷データ選択画面８３に表示される印刷データは、ログインしているユーザの印刷データである。つまり、ファイルサーバ３内のログインユーザに対応したＰｒｉｎｔフォルダに格納されている印刷データである。ここでは、印刷処理を実行しているのは、ユーザＡ（Ｕｓｅｒ１）であるので、ハードディスク３５内のＵｓｅｒ１フォルダ配下のＰｒｉｎｔフォルダ内に格納されている印刷データが一覧表示される。
【００３８】
具体的には、ユーザＡが処理選択画面８２において「印刷」ボタンを選択すると、プリンタ部２４がユーザの認証情報（ユーザ名、パスワード）をファイルサーバ３に送信し、印刷データのリスト要求を行うのである。ファイルサーバ３では、認証管理部３３が認証データ６２を参照して認証処理を実行する。そして、認証に成功すると、当該ユーザに対応するＰｒｉｎｔフォルダから印刷データのリストを作成してデジタル複合機２に送信するのである。これにより、図５に示すような印刷データ選択画面８３が表示されるのである（ステップＳ５）。
【００３９】
次に、ユーザＡが印刷データ選択画面８３に表示されたリストの中から印刷データを選択して、ＯＫボタンを選択する。これにより、プリンタ部２４は、ファイルサーバ３に格納されているＵｓｅｒ１フォルダ配下のＰｒｉｎｔフォルダから選択された印刷データを取得する（ステップＳ６）。プリンタ部２４は、印刷データを取得すると、印刷処理を実行する（ステップＳ７）。印刷データは、デジタル複合機２に対応したプリンタドライバ７２により出力された印刷データであるので、プリンタ部２４は、そのまま印刷データを印刷処理可能である。
【００４０】
このようにして、デジタル複合機２から印刷物が出力されるが、デジタル複合機２の前にはユーザＡがいるので、ユーザＡは、他の人の目に触れることなく印刷物を手にすることができる。
【００４１】
本実施の形態においては、ＰＣ４から出力された印刷データが、デジタル複合機２ではなく、ファイルサーバ３に転送される。そして、ファイルサーバ３のハードディスク３５内のユーザフォルダ６１に格納される。そして、ファイルサーバ３の認証管理部３３によりユーザフォルダ６１に対するアクセス権が管理されている。本実施の形態においては、便宜的に認証管理部３３を独立した処理部として説明しているが、実際には、フォルダに対するアクセス制御機能はオペレーティングシステムによって用意されている。つまり、ファイルサーバ３のオペレーティングシステムで用意されたアクセス管理機能を利用して、デジタル複合機２のデータ処理を制御することが可能である。また、多数のユーザがデジタル複合機２を利用する場合であっても、それら処理データは、ファイルサーバ３に蓄積されるので、デジタル複合機２のメモリサイズを小さくすることができる。このように、ファイルサーバ３のアクセス制御機能やハードディスク３５を利用することで、デジタル複合機２の処理負荷を軽減させるとともに、製造コストを低く抑えることが可能である。
【００４２】
上記の実施の形態においては印刷処理を例に説明したが、その他の処理についても、デジタル複合機２は、処理データの格納先としてファイルサーバ３を利用する。たとえば、ＦＡＸ部２７がＧ３ＦＡＸを受信した場合、ＦＡＸ部２７は、ＦＡＸデータを対応するユーザのＦＡＸフォルダに格納する。一般には、Ｇ３ＦＡＸの場合は受信データから宛先を特定することができないので、デフォルトユーザのＦＡＸフォルダに格納する。あるいは、送信元ＦＡＸ番号に対して宛先が対応付けられている場合には、対応する宛先のユーザのＦＡＸフォルダにＦＡＸデータを格納する。
【００４３】
一方、ＦＡＸ送信部２７が、Ｉ−ＦＡＸ受信した場合には、宛先ユーザのＩ−ＦＡＸフォルダに受信データを格納する。同様に、メール部２８が電子メールを受信した場合には、宛先ユーザのＥ−ｍａｉｌフォルダに電子メールデータが格納される。
【００４４】
各ユーザは、操作パネル２３に認証情報を入力して認証を受けることにより、ＦＡＸフォルダ、Ｉ−ＦＡＸフォルダに格納されたＦＡＸデータや、Ｅ−ｍａｉｌフォルダに格納された電子メールデータにアクセスすることが可能となる。たとえば、それらデータにアクセスした後、印刷処理や転送処理を実行可能となる。
【００４５】
また、ユーザは、スキャナ部２６を利用してスキャニングを実行する場合にも、操作パネル２３において認証情報を入力する。これにより、スキャニングデータは、当該ユーザのＳｃａｎフォルダに格納される。その後、ユーザは、操作パネル２３に認証情報を入力して認証を受けることにより、Ｓｃａｎフォルダに格納されたスキャンデータにアクセスすることが可能となる。たとえば、それらデータにアクセスした後、印刷処理や転送処理を実行可能となる。
【００４６】
あるいは、各ユーザは、ＰＣ４からＳＭＢプロトコルを利用してファイルサーバ３に格納されている共有フォルダをブラウジングし、自分のユーザフォルダ６１にアクセスする。そして、オペレーションシステムにより認証情報の入力が求められるので、ユーザ名、パスワードを入力することで、各処理データにアクセス可能となる。
【００４７】
次に、ＰＣ４に対するプリンタドライバ７２のインストール処理について説明する。ＰＣ４のユーザは、デジタル複合機２をプリンタとして利用するためにＰＣ４にプリンタドライバ７２をインストールする必要がある。プリンタドライバ７２が、ＣＤ−ＲＯＭに格納されている場合、ＰＣ４にＣＤ−ＲＯＭを挿入することでインストール作業が開始される。あるいは、デジタル複合機２やその他のサーバにプリンタドライバ７２が格納されており、そのデータをダウンロードして実行することにより、インストール作業が開始される。
【００４８】
インストール処理が開始すると、インストーラは、デジタル複合機２にアクセスし、ユーザ登録データ５１からユーザリストを取得する。そして、ＰＣ４のモニタ４４にユーザリストを表示させる。インストール作業を行っているユーザは、ユーザリストの中から自分のユーザ名を選択し、さらに、パスワードを入力する。
【００４９】
インストーラは、ユーザ名とパスワードをデジタル複合機２に送信し、認証を受ける。デジタル複合機２は、ユーザ登録データ５１を参照して認証処理を行い、結果をＰＣ４に送信する。インストーラは、認証に成功した場合には、ＰＣ４にプリンタドライバ７２をインストールするのである。続いて、インストーラは、ファイルサーバ３のハードディスク３５内にインストールを行ったユーザに対応するＰｒｉｎｔフォルダを作成するのである。さらに、インストーラは、作成したフォルダのユーザ認証情報（ユーザ名とパスワード）を認証データ６２に登録する。これにより、作成されたＰｒｉｎｔフォルダは、当該ユーザのパスワードでロックされることになる。
【００５０】
このようにして、ユーザの利用するＰＣ４には、プリンタドライバ７２がインストールされるとともに、ファイルサーバ３には、当該ユーザのＰｒｉｎｔフォルダが作成される。そして、インストールされたプリンタドライバ７２には、ユーザ情報が登録されているので、ユーザが印刷処理を実行すると、プリンタドライバ７２により、該当するＰｒｉｎｔフォルダに印刷データが格納されるのである。
【００５１】
上記の実施の形態においては、デジタル複合機２で管理されているユーザ登録情報をそのままユーザフォルダ６１の認証情報として利用した。これ以外に、たとえば、ネットワーク内でドメイン管理が行われている場合には、このドメイン管理情報をユーザフォルダ６１の認証情報として利用してもよい。
【図面の簡単な説明】
【００５２】
【図１】本実施の形態に係るデータ処理システムのシステム構成と処理の流れを示す図である。
【図２】データ処理システムの機能ブロック図である。
【図３】デジタル複合機の操作パネルに表示されるログイン画面を示す図である。
【図４】デジタル複合機の操作パネルに表示される処理選択画面を示す図である。
【図５】デジタル複合機の操作パネルに表示される印刷データ選択画面を示す図である。
【符号の説明】
【００５３】
１      ＬＡＮ
２      デジタル複合機
３      ファイルサーバ
４      パーソナルコンピュータ
２４    プリンタ部
３３    認証管理部
３５    ハードディスク
５１    ユーザ管理データ
６１    ユーザフォルダ
６２    認証データ
７２    プリンタドライバ
【図１】
2007306398.tif 000003
【図２】
2007306398.tif 000004
【図３】
2007306398.tif 000005
【図４】
2007306398.tif 000006
【図５】
2007306398.tif 000007